(57)【要約】【課題】ネットショッピングにおける認証において、盗聴により悪用される重要な情報に依ることなく、インターネット上での商品情報と、ＩＰ電話サービス網を介した認証情報といった２つの経路で授受される情報を、組合せて照合する代行課金システムおよび代行課金方法を提供する。【解決手段】ネットショッピングサービスと、インターネット接続サービスと、ＩＰ電話サービスとを含むインターネットショッピングシステムを利用して購入した購入品の代金をユーザに代行して支払うネットショッピング代行課金システムであって、ＩＰ電話サービス網は、特定の電話番号のみが回線を透過するＳＩＰを用いたＩＰ電話サービス網であり、特定の電話番号にてユーザを認証する認証サーバと、ユーザ認証のために送信されるＳＩＰを終端し認証サーバヘ情報を展開するＳＩＰ終端装置とを、ユーザに代わって代行課金するサービス事業者の管轄内に設ける。【選択図】図２
2008242763.tif 000002
【特許請求の範囲】
【請求項１】
アプリケーションサービス事業者（ＡＳＰ）が提供するネットショッピングサービスと、インターネット接続事業者（ＩＳＰ）が提供するインターネット接続サービスと、ＩＰ電話サービス事業者が提供するＩＰ電話サービスとを含むインターネットショッピングシステムを利用して購入した購入品の代金をユーザに代行して支払うネットショッピング代行課金システムであって、
前記ＩＰ電話サービス網は、特定の電話番号のみが回線を透過するセッションイニシエイシォンプロトコル（ＳＩＰ）を用いたＩＰ電話サービス網であり、
前記特定の電話番号にてユーザを認証する認証サーバと、ユーザ認証のために送信されるセッションイニシエイシォンプロトコル（ＳＩＰ）を終端し前記認証サーバヘ情報を展開するＳＩＰ終端装置とを、ユーザに代わって代行課金するサービス事業者の管轄内に設けることを特徴とするネットショッピング代行課金システム。
【請求項２】
アプリケーションサービス事業者（ＡＳＰ）が提供するネットショッピングサービスと、インターネット接続事業者（ＩＳＰ）が提供するインターネット接続サービスと、ＩＰ電話サービス事業者が提供するＩＰ電話サービスとを含むインターネットショッピングシステムを利用して購入した購入品の代金をユーザに代行して支払うネットショッピング代行課金システムであって、
ネットショッピングで購入したユーザの認証と、購入した購入品の認証を２つの異なるサービスを経由するそれぞれ異なる回線から受信する購入者・購入品情報を照合する照合手段をアプリケーションサービス事業者（ＡＳＰ）の管轄内にある認証サーバに設けることを特徴とするネットショッピング代行課金システム。
【請求項３】
請求項１または請求項２に記載のネットショッピング代行課金システムにおいて、
前記認証サーバには、ユーザＩＤと前記特定の電話番号の関連テーブルを保持することを特徴とするネットショッピング代行課金システム。
【請求項４】
請求項１又は請求項２に記載のネットショッピング代行課金システムにおいて、
前記認証サーバには、認証した情報を、適切なアプリケーションサービス事業者（ＡＳＰ）へと送信するために、アプリケーションサービス事業者のＩＤ情報（ＡＳＰ−ＩＤ）と送信先の関連テーブルを保持することを特徴とするネットショッピング代行課金システム。
【請求項５】
アプリケーションサービス事業者（ＡＳＰ）が提供するネットショッピングサービスと、インターネット接続事業者（ＩＳＰ）が提供するインターネット接続サービスと、ＩＰ電話サービス事業者が提供するＩＰ電話サービスとを含むインターネットショッピングシステムを利用して購入した購入品の代金をユーザに代行して支払うネットショッピング代行課金方法であって、
特定の電話番号のみが回線を透過するセッションイニシエイシォンプロトコル（ＳＩＰ）を用いたＩＰ電話サービスにおいて受信した特定の電話番号をキーにしてユーザ認証を行うステップと、
ネットショッピングで購入したユーザの認証と、購入した購入品の認証を２つの異なるサービスを経由するそれぞれ異なる回線から受信する購入者・購入品情報を照合するステップと、
前記照合が合致した場合に認証が完了するステップと、
ユーザに代わって代行課金するサービス事業者の認証サーバにて、前記照合・認証した結果を受けて、ユーザへの課金を行うステップと、
を含むことを特徴とするネットショッピング代行課金方法。
【発明の詳細な説明】
【技術分野】
【０００１】
本発明は、インターネットのショッピングモールなどにて購入した商品の代金の支払いを代行するネットショッピング代行課金システムおよびその方法に関する。特に、インターネット上で選択・購入した商品情報と、ＩＰ（Internet Protocol）電話サービス網を介した認証情報との２つの経路で授受される情報を組合せて照合することで、安全にユーザ認証を行うネットショッピング代行課金システムおよびその方法として用いると好適である。
【背景技術】
【０００２】
近年、インターネットを介したネットショッピングが急激に増加しており、インターネット上のショッピングモールなどにおいて商品を購入し、インターネット上で決済を行う場合、キャッシュカード番号とパスワードなどをキーインし認証を行う。これは、ショッピングモールなどを提供するＡＳＰ（Application Service Provider）が決済のため、銀行などの金融機関に対して、上記情報が必要であるためである。しかし、この方法では、上記重要な情報がインターネット上を流れるため、第三者による盗聴などが行われた場合、これらの情報が悪意に利用されることが考えられる。これらの対策として、暗号化などの技術を用いる方法が使用されているが、暗号も解読される可能性が完全に０ではなく、また、スパイウェアなどによりユーザの意図しないサイトへこれらの情報が誘導され暗号解読および盗聴されることも考えられる。さらに、キーボードにタイプした情報が盗聴されるキーロガーなど、重要な情報をキー入力すること自体が悪用に対して危険なケースも考えられる。つまり、盗聴されて問題のある重要な情報をキーとして認証を行うこと、かつ、インターネットを介して認証を行うことだけでは安全上に問題があると言える。
【０００３】
従来、この種の問題を解決するため、ユーザ端末から公衆網または専用線を介してインターネットサービスプロバイダ装置に接続した際、ＩＳＰ（Internet Services Provider）装置から割当てられるＩＰアドレスを用いて電子商取引サービス（ＥＣＳ：Electronic Commerce Service ）装置に接続してユーザ端末から商品の注文を行うと、ＥＣＳ装置は、登録ＩＳＰのＩＰアドレスデータベース記憶部に照会し、認証されるとＩＳＰ装置に対してユーザ認証および課金依頼を送信する。そこでＩＳＰ装置は、登録ＥＣＳデータベース記憶部及び登録ユーザーデータベース記憶部のデータと照合し、その結果をＥＣＳ装置に送信することで、ＥＣＳ装置はユーザ端末に対して商品注文確定または商品の販売を行う。そして代金は、ＩＳＰ使用料に上乗せすることで、ＩＳＰを通じてユーザからＥＣＳへ回収する電子商取引決済方法の技術が知られている。（例えば、特許文献１参照）
【０００４】
また、別の従来技術として、電子楽器が演奏データのダウンロードをコンテンツサーバへ要求すると、ＩＰ電話により電子楽器と認証サーバとの間で通信が行われ、ダウンロードの認証が認証サーバに要求される。認証サーバは、ダウンロードの認証の可否を決定して認証結果をコンテンツサーバへ出力し、コンテンツサーバは、認証サーバから供給される認証結果に応じて、演奏データを電子楽器へ供給するか否かを判断するコンテンツ配信技術が知られている。（例えば、特許文献２参照）
【０００５】
更に、別の従来技術として、ＩＰ電話アダプタの不正利用を検出するため、ＩＰ電話アダプタからユーザＩＤを含む認証要求を、当該ＩＰ電話アダプタに固有のデータを収集する接続装置を介して受信する工程と、認証要求に含まれるユーザＩＤが登録ユーザのユーザＩＤであるか確認する工程と、認証要求に含まれるユーザＩＤに対応して予め登録された接続装置からＩＰ電話アダプタに固有のデータを含むデータを取得し、ＩＰ電話アダプタに固有のデータが認証要求に含まれるユーザＩＤに対応して予め登録されたデータを含むか確認する工程とを含む不正利用検出方法の技術が知られている。（例えば、特許文献３参照）
【特許文献１】特許第３３６２３５３号公報
【特許文献２】特開２００６−３１４７８号公報
【特許文献３】特開２００６−２１７１９４号公報
【発明の開示】
【発明が解決しようとする課題】
【０００６】
本発明では、インターネット上における商品購入・決済において、キャッシュ番号情報やパスワードなど、盗聴により悪用される重要な情報ではなく、インターネット上で選択・購入した商品情報と、ＩＰ電話サービス網を介した認証情報といった２つの経路で授受される情報を、組合せて照合することで、安全にユーザ認証を行うネットショッピング代行課金システムおよびその方法を提供することを課題とする。
【課題を解決するための手段】
【０００７】
上記課題を解決するための第１の発明は、アプリケーションサービス事業者（ＡＳＰ）が提供するネットショッピングサービスと、インターネット接続事業者（ＩＳＰ）が提供するインターネット接続サービスと、ＩＰ電話サービス事業者が提供するＩＰ電話サービスとを含むインターネットショッピングシステムを利用して購入した購入品の代金をユーザに代行して支払うネットショッピング代行課金システムであって、前記ＩＰ電話サービス網は、特定の電話番号のみが回線を透過するセッションイニシエイシォンプロトコル（ＳＩＰ）を用いたＩＰ電話サービス網であり、前記特定の電話番号にてユーザを認証する認証サーバと、ユーザ認証のために送信されるセッションイニシエイシォンプロトコル（ＳＩＰ）を終端し前記認証サーバヘ情報を展開するＳＩＰ終端装置とを、ユーザに代わって代行課金するサービス事業者の管轄内に設けている。
【０００８】
この第１の発明によれば、ネットショッピングで購入した商品の決済をＩＰ電話サービスを用いてユーザ認証情報にキャッシュカード番号やパスワードなどではなく、認証に盗聴されて問題のない電話番号を用いて決済を可能とするネットショッピング代行課金システムを提供できる。
【０００９】
第２の発明は、アプリケーションサービス事業者（ＡＳＰ）が提供するネットショッピングサービスと、インターネット接続事業者（ＩＳＰ）が提供するインターネット接続サービスと、ＩＰ電話サービス事業者が提供するＩＰ電話サービスとを含むインターネットショッピングシステムを利用して購入した購入品の代金をユーザに代行して支払うネットショッピング代行課金システムであって、ネットショッピングで購入したユーザの認証と、購入した購入品の認証を２つの異なるサービスを経由するそれぞれ異なる回線から受信する購入者・購入品情報を照合する照合手段をアプリケーションサービス事業者（ＡＳＰ）の管轄内にある認証サーバに設けている。
【００１０】
この第２の発明によれば、ネットショッピングで選択・購入した商品情報と、ＩＰ電話サービス網を介した認証情報といった２つの経路で授受される情報を、ショッピングモールなどを運営するＡＳＰが組合せて照合することで、安全に照合認証ができるネットショッピング代行課金システムを提供できる。
【００１１】
第３の発明は、第１の発明または第２の発明に記載のネットショッピング代行課金システムにおいて、前記認証サーバには、ユーザＩＤと前記特定の電話番号の関連テーブルを保持している。
【００１２】
この第３の発明によれば、ＩＳＰ／ＡＳＰ／ＩＰ電話サービス事業者の認証サーバでユーザ情報と電話番号を登録することができるので、各サービス事業者にてユーザに代行して支払いができるネットショッピング代行課金システムを提供できる。
【００１３】
第４の発明は、第１の発明または第２の発明に記載のネットショッピング代行課金システムにおいて、前記認証サーバには、認証した情報を、適切なアプリケーションサービス事業者（ＡＳＰ）へと送信するために、アプリケーションサービス事業者のＩＤ情報（ＡＳＰ−ＩＤ）と送信先の関連テーブルを保持している。
【００１４】
この第４の発明によれば、ユーザから送信されるＳＩＰメッセージに含まれるＡＳＰ−ＩＤの情報から、認証情報送信先ＡＳＰが登録されるので、ＩＳＰ／ＩＰ電話サービス事業者の各サービス事業者にてユーザに代行して支払いができるネットショッピング代行課金システムを提供できる。
【００１５】
第５の発明は、アプリケーションサービス事業者（ＡＳＰ）が提供するネットショッピングサービスと、インターネット接続事業者（ＩＳＰ）が提供するインターネット接続サービスと、ＩＰ電話サービス事業者が提供するＩＰ電話サービスとを含むインターネットショッピングシステムを利用して購入した購入品の代金をユーザに代行して支払うネットショッピング代行課金方法であって、特定の電話番号のみが回線を透過するセッションイニシエイシォンプロトコル（ＳＩＰ）を用いたＩＰ電話サービスにおいて受信した特定の電話番号をキーにしてユーザ認証を行うステップと、ネットショッピングで購入したユーザの認証と、購入した購入品の認証を２つの異なるサービスを経由するそれぞれ異なる回線から受信する購入者・購入品情報を照合するステップと、前記照合が合致した場合に認証が完了するステップと、ユーザに代わって代行課金するサービス事業者の認証サーバにて、前記照合・認証した結果を受けて、ユーザへの課金を行うステップとを含んでいる。
【００１６】
この第５の発明によれば、ネットショッピングで購入した商品の決済をＩＰ電話サービスを用いてユーザ認証情報にキャッシュカード番号やパスワードなどではなく、認証に盗聴されて問題のない電話番号を用いて決済を可能とするとともに、ネットショッピングで選択・購入した商品情報と、ＩＰ電話サービス網を介した認証情報といった２つの経路で授受される情報を、ショッピングモールなどを運営するＡＳＰが組合せて照合することで、安全に照合認証ができるネットショッピング代行課金方法を提供できる。
【発明の効果】
【００１７】
以上、本発明のネットショッピング代行課金システムおよびその方法によれば、
（１）インターネット上における商品購入・決済において、キャッシュ番号情報やパスワードなど、盗聴により悪用される重要な情報を用いることに限定していないため、そのまま、商品を購入したユーザの本人認証が可能となる。
（２）インターネット上で選択・購入した商品情報と、ＩＰ電話サービス網を介した認証情報と云った 2つの経路で授受される情報を、組合せて照合することで、安全にユーザ認証を行うことができる。
【発明を実施するための最良の形態】
【００１８】
以下、本発明の実施の形態について、図を参照しながら説明する。
【００１９】
図１は、本発明が対象とするネットショッピング代行課金サービスを適用するネットワークの説明図である。同図において、ユーザ１は、家庭における固定網回線において、特定の電話番号（０ＡＢＪ）のみが回線を透過可能となるＳＩＰ（Session Initiation Protocol ）を用いたＩＰ（Internet Protocol ）電話サービスに加入しており、かつインターネットに対してＩＳＰ（Internet Services Provider）を介して接続するユーザである。ＩＰ電話機２1 , ２n は、ＳＩＰを適用したＩＰ電話サービスに発信可能であり、ＬＡＮに直接つないで利用する。ＩＰネットワークで音声を運べるように、音声をディジタル変換する機能も内蔵している。ＩＳＰ３は、インターネット接続事業者であり、電話回線やデータ通信専用回線などを通じて、顧客である企業や家庭のコンピュータをインターネットに接続するのが主な業務とする。ＩＰ電話サービス事業者４は、ＩＰ電話サービス接続事業者であり、契約ユーザに提供される回線は、契約ユーザの番号（例えば、０ＡＢＪ）のみ透過可能であり、それ以外の番号は遮断される。ＡＳＰ（Application Service Provider）５は、ビジネス用のアプリケーションソフトをインターネットを通じてユーザが利用可能にするサービス事業者であり、提供するサイトにてネットワークショッピングを行い、ＡＳＰ／ＩＳＰ／ＩＰ電話サービス事業者が代行課金を行う。
【００２０】
図２は、本発明の第１実施例におけるネットショッピング代行課金システムの構成図（ＩＳＰによる代行課金）であり、図３は、本発明の第１実施例におけるネットショッピング代行課金サービスのシーケンス図（ＩＳＰによる代行課金）である。以下、図３の各装置間の情報の流れを示すシーケンスを、図２を用いて説明する。
【００２１】
Ｓ１．ユーザＡは、予め代行課金を行う事業者であるＩＳＰ３に対して自身が保持するＩＳＰ−ＩＤとＩＰ電話サービス事業者４と契約している電話番号を登録し、ＩＳＰ３は認証サーバ７にて本情報を格納する。（事前登録）
Ｓ２．ユーザＡは、インターネット上で対象となるＨＴＴＰ（Hyper Text Transfer Protocol）文書などでダウンロードできるファイルの置かれている場所を閲覧する。（サイト閲覧）
Ｓ３．ユーザＡがＨＴＴＰなどによりインターネットを経由しショッピングモールなどで購入する商品を決定すると、ネットショッピングシステム８とユーザＡとの間で購入した商品情報・ＡＳＰ情報の授受を行う。（Ｗｅｂアクセス、購入品選択、購入意思表示）  Ｓ４．ネットショッピングシステム８では、ユーザＡと購入した商品の情報を管理し、認証サーバ９へ本情報を送信する。（ユーザ情報、購入品情報通知）
Ｓ５．ユーザＡは、ネットショッピングシステムとの通信で受信した商品情報・ＡＳＰ情報と、登録しているＩＳＰ−ＩＤを、ＩＰ電話サービスで適用されるＳＩＰメッセージに格納し、ＩＰ電話サービス網を用いて、代行課金を行うＩＳＰ３に対してＩＰ電話の発信を行う。（呼接続）
【００２２】
このとき、ＳＩＰメッセージには、ユーザＡの電話番号が発信元として記述される。また、本ＩＰ電話サービス事業者４では、契約した固定網回線上には契約した電話番号しか透過しない、すなわちユーザＡとＩＰ電話サービス網の回線上には、ユーザＡの電話番号が発信元として記述されたメッセージしか透過しない。従って、ユーザＡを発信元とするＳＩＰメッセージは、確実にユーザＡから発信されたものとなる。なお、ユーザＡが特定のＳＩＰ終端装置６に対しＳＩＰメッセージを送信する仕組みについては、特に規定するものではない。実現する一例としては、代行課金する事業者が自身のＳＩＰ終端装置６へＩＰ電話発信するソフトを提供し、ＨＴＴＰを介して提供されるＡＳＰ−ＩＤ／製品情報、ユーザの入力などにより設定されるＩＳＰ−ＩＤを所定のＳＩＰメッセージに記載し、呼接続を試みる方法が挙げられる。
【００２３】
Ｓ６．着信したＩＳＰ３のＳＩＰ終端装置６は、受信したＳＩＰメッセージから、ＩＳＰ−ＩＤ・電話番号・商品情報、ＡＳＰ−ＩＤを抽出し、ＩＳＰ３の認証サーバ７へ送信する。（購入品・ＡＳＰ情報・認証情報送信）
Ｓ７．認証サーバ７は、予め登録してあるユーザＡのＩＳＰ−ＩＤと電話番号情報から、両情報の組合せが合致した場合にユーザを認証する。（ユーザ認証）
Ｓ８．ユーザ認証したＩＳＰ３の認証サーバ７は、自身が認証した結果について、ＡＳＰ−ＩＤ・商品情報を付与しＡＳＰ５の認証サーバ９へ送信する。（購入品・認証情報送信）
Ｓ９．ＡＳＰ５の認証サーバ９は、ネットショッピングシステム８より送信されたユーザ情報・購入した商品情報と、ＩＳＰ３の認証サーバ７より送信されたユーザ情報（ＡＳＰ−ＩＤ）・商品情報を照合し、合致した場合に認証が完了する。（照合・認証）
Ｓ１０．認証サーバ９は、認証情報をＩＳＰ３の認証サーバ７に通知する。（認証結果通知）
Ｓ１１．ＩＳＰ３の認証サーバ７は、認証結果の通知を受け、ユーザＡへの課金を行う。（課金完了）
Ｓ１２．ＩＳＰ３の認証サーバ７は、課金の結果をＡＳＰ５の認証サーバ９へ返却する。（課金完了通知）
Ｓ１３．ＡＳＰ５の認証サーバ９は、課金の結果をネットショッピングシステム８へ通知する。（認証・課金結果通知）
Ｓ１４．ネットショッピングシステム８は、認証結果をインターネット経由でＨＴＴＰなどによりユーザＡに通知を行う。（認証結果通知）
【００２４】
図４は、本発明の第２実施例におけるネットショッピング代行課金システムの構成図（ＡＳＰによる代行課金）であり、図５は、本発明の第２実施例におけるネットショッピング代行課金サービスのシーケンス図（ＡＳＰによる代行課金）である。以下、図５の各装置間の情報の流れを示すシーケンスを、図４を用いて説明する。
【００２５】
Ｓ１．ユーザＡは、予め代行課金を行う事業者であるＡＳＰ５に対して自身が保持するＡＳＰ−ＩＤとＩＰ電話サービス事業者４と契約している電話番号を登録し、ＡＳＰ５は認証サーバ９にて本情報を格納する。（事前登録）
Ｓ２．ユーザＡは、インターネット上で対象となるＨＴＴＰ文書などでダウンロードできるファイルの置かれている場所を閲覧する。（サイト閲覧）
Ｓ３．ユーザＡがＨＴＴＰなどによりインターネットを経由しショッピングモールなどで購入する商品を決定すると、ネットショッピングシステム８とユーザＡとの間で購入した商品情報・ＡＳＰ情報の授受を行う。（Ｗｅｂアクセス、購入品選択、購入意思表示）  Ｓ４．ネットショッピングシステム８では、ユーザＡと購入した商品の情報を管理し、認証サーバ９へ本情報を送信する。（ユーザ情報、購入品情報通知）
Ｓ５．ユーザＡは、ネットショッピングシステム８との通信で受信した商品情報・ＡＳＰ情報と、登録しているＡＳＰ−ＩＤを、ＩＰ電話サービスで適用されるＳＩＰメッセージに格納し、ＩＰ電話サービス網を用いて、代行課金を行うＡＳＰ５に対してＩＰ電話の発信を行う。（呼接続）
【００２６】
このとき、ＳＩＰメッセージには、ユーザＡの電話番号が発信元として記述される。また、本ＩＰ電話サービス事業者では、契約した固定網回線上には契約した電話番号しか透過しない、すなわちユーザＡとＩＰ電話サービス網の回線上には、ユーザＡの電話番号が発信元として記述されたメッセージしか透過しない。従って、ユーザＡを発信元とするＳＩＰメッセージは、確実にユーザＡから発信されたものとなる。
【００２７】
Ｓ６．着信したＡＳＰ５のＳＩＰ終端装置１０は、受信したＳＩＰメッセージから、電話番号・商品情報、ＡＳＰ−ＩＤを抽出し、ＡＳＰ５の認証サーバ９へ送信する。（購入品・ＡＳＰ情報・認証情報送信）
Ｓ７．認証サーバ１０は、予め登録してあるユーザＡのＡＳＰ−ＩＤと電話番号情報から、両情報の組合せが合致した場合にユーザを認証し、ネットショッピングシステム８より送信されたユーザ情報・購入した商品情報と、ＡＳＰ５のＳＩＰ終端装置１０より送信されたユーザ情報（ＡＳＰ−ＩＤ）・商品情報を照合し、合致した場合に認証が完了する。（ユーザ認証・照合）
Ｓ８．ＡＳＰ５の認証サーバ９は、認証結果の通知を受け、ユーザＡへの課金を行う。（課金完了）
Ｓ９．ＡＳＰ５の認証サーバ９は、課金の結果をネットショッピングシステム８へ通知する。（認証・課金結果通知）
Ｓ１０．ネットショッピングシステム８は、認証結果をインターネット経由でＨＴＴＰなどによりユーザＡに通知を行う。（認証結果通知）
【００２８】
図６は、本発明の第３実施例におけるネットショッピング代行課金システムの構成図（ＩＰ電話サービス事業者による代行課金）であり、図７は、本発明の第３実施例におけるネットショッピング代行課金サービスのシーケンス図（ＩＰ電話サービス事業者による代行課金）である。以下、図７の各装置間の情報の流れを示すシーケンスを、図６を用いて説明する。
【００２９】
Ｓ１．ユーザＡは、インターネット上で対象となるＨＴＴＰ文書などでダウンロードできるファイルの置かれている場所を閲覧する。（サイト閲覧）
Ｓ２．ユーザＡがＨＴＴＰなどによりインターネットを経由しショッピングモールなどで購入する商品を決定すると、ネットショッピングシステム８とユーザＡとの間で購入した商品情報・ＡＳＰ情報の授受を行う。（Ｗｅｂアクセス、購入品選択、購入意思表示）  Ｓ３．ネットショッピングシステム８では、ユーザＡと購入した商品の情報を管理し、認証サーバ９へ本情報を送信する。（ユーザ情報、購入品情報通知）
Ｓ４．ユーザＡは、ネットショッピングシステム８との通信で受信した商品情報・ＡＳＰ情報と、登録しているＡＳＰ−ＩＤを、ＩＰ電話サービスで適用されるＳＩＰメッセージに格納し、ＩＰ電話サービス網を用いて、代行課金を行うＩＰ電話サービス事業者４に対してＩＰ電話の発信を行う。（呼接続）
Ｓ５．着信したＩＰ電話サービス事業者４のＳＩＰ終端装置１１は、受信したＳＩＰメッセージから、電話番号・商品情報、ＡＳＰ−ＩＤを抽出し、ＩＰ電話サービス事業者４の認証サーバ１２へ送信する。（購入品・ＡＳＰ情報・認証情報送信）
Ｓ６．認証サーバ１２は、予め登録してあるユーザＡのＡＳＰ−ＩＤと電話番号情報から、両情報の組合せが合致した場合にユーザを認証する。（ユーザ認証）
Ｓ７．着信したＩＰ電話サービス事業者４の認証サーバ１２は、受信したＳＩＰメッセージから、商品情報、ＡＳＰ−ＩＤを抽出し、ＡＳＰ５の認証サーバ９へ送信する。（購入品・ＡＳＰ情報・認証情報送信）
Ｓ８．認証サーバ９は、予め登録してあるユーザＡのＡＳＰ−ＩＤと電話番号情報から、両情報の組合せが合致した場合にユーザを認証し、ネットショッピングシステム８より送信されたユーザ情報・購入した商品情報と、ＩＰ電話サービス事業者４のＳＩＰ終端装置１１より送信されたユーザ情報（ＡＳＰ−ＩＤ）・商品情報を照合し、合致した場合に認証が完了する。（照合・認証）
Ｓ９．ＡＳＰ５の認証サーバ９は、課金の結果をＩＰ電話サービス事業者４の認証サーバ１２へ通知する。（認証・課金結果通知）
Ｓ１０．ＩＰ電話サービス事業者４の認証サーバ１２は、認証結果の通知を受け、ユーザＡへの課金を行う。（課金完了）
Ｓ１１．ＩＰ電話サービス事業者４の認証サーバ１２は、課金の結果をＡＳＰ５の認証サーバ９へ返却する。（課金完了通知）
Ｓ１２．ＡＳＰ５の認証サーバ９は、課金の結果をネットショッピングシステム８へ通知する。（認証・課金結果通知）
Ｓ１３．ネットショッピングシステム８は、認証結果をインターネット経由でＨＴＴＰなどによりユーザＡに通知を行う。（認証結果通知）
【００３０】
図８は、本発明による認証サーバが保持する認証用テーブルの内容を示す図である。認証サーバはＩＳＰ−ＩＤと電話番号を関連付ける認証用テーブルを保持する。この登録方法については、ＩＳＰ契約時の書面でのやり取りなどが考えられるが、第三者へ情報が漏洩しないことを除き、特に方法に制限するものではない。  
【００３１】
図９は、本発明による認証サーバが保持する認証情報送信先ＡＳＰ検索用テーブルの内容を示す図である。送信先のＡＳＰは、ＩＳＰの認証サーバがＡＳＰ−ＩＤとＡＳＰを関連付ける認証情報送信先ＡＳＰ検索用テーブルを有しており、ユーザＡから送信されたＳＩＰメッセージに含まれるＡＳＰ−ＩＤの情報から決定することが可能である。  
【００３２】
以上の実施例を含む実施形態に関し、更に以下の付記を開示する。
【００３３】
（付記１）  アプリケーションサービス事業者（ＡＳＰ）が提供するネットショッピングサービスと、インターネット接続事業者（ＩＳＰ）が提供するインターネット接続サービスと、ＩＰ電話サービス事業者が提供するＩＰ電話サービスとを含むインターネットショッピングシステムを利用して購入した購入品の代金をユーザに代行して支払うネットショッピング代行課金システムであって、前記ＩＰ電話サービス網は、特定の電話番号のみが回線を透過するセッションイニシエイシォンプロトコル（ＳＩＰ）を用いたＩＰ電話サービス網であり、前記特定の電話番号にてユーザを認証する認証サーバと、ユーザ認証のために送信されるセッションイニシエイシォンプロトコル（ＳＩＰ）を終端し前記認証サーバヘ情報を展開するＳＩＰ終端装置とを、ユーザに代わって代行課金するサービス事業者の管轄内に設けることを特徴とするネットショッピング代行課金システム。
（付記２）  付記１記載のネットショッピング代行課金システムにおいて、前記特定の電話番号は、ＳＩＰメッセージの発信者番号情報（０ＡＢＪ番号）であることを特徴とするとするネットショッピング代行課金システム。
（付記３）  アプリケーションサービス事業者（ＡＳＰ）が提供するネットショッピングサービスと、インターネット接続事業者（ＩＳＰ）が提供するインターネット接続サービスと、ＩＰ電話サービス事業者が提供するＩＰ電話サービスとを含むインターネットショッピングシステムを利用して購入した購入品の代金をユーザに代行して支払うネットショッピング代行課金システムであって、ネットショッピングで購入したユーザの認証と、購入した購入品の認証を２つの異なるサービスを経由するそれぞれ異なる回線から受信する購入者・購入品情報を照合する照合手段をアプリケーションサービス事業者（ＡＳＰ）の管轄内にある認証サーバに設けることを特徴とするネットショッピング代行課金システム。
（付記４）  付記1 または付記2 に記載のネットショッピング代行課金システムにおいて、前記認証サーバには、ユーザＩＤと前記特定の電話番号の関連テーブルを保持することを特徴とするネットショッピング代行課金システム。
（付記５）  付記１または付記２に記載のネットショッピング代行課金システムにおいて、前記認証サーバには、認証した情報を、適切なアプリケーションサービス事業者（ＡＳＰ）へと送信するために、アプリケーションサービス事業者のＩＤ情報（ＡＳＰ−ＩＤ）と送信先の関連テーブルを保持することを特徴とするネットショッピング代行課金システム。
（付記６）アプリケーションサービス事業者（ＡＳＰ）が提供するネットショッピングサービスと、インターネット接続事業者（ＩＳＰ）が提供するインターネット接続サービスと、ＩＰ電話サービス事業者が提供するＩＰ電話サービスとを含むインターネットショッピングシステムを利用して購入した購入品の代金をユーザに代行して支払うネットショッピング代行課金方法であって、特定の電話番号のみが回線を透過するセッションイニシエイシォンプロトコル（ＳＩＰ）を用いたＩＰ電話サービスにおいて受信した特定の電話番号をキーにしてユーザ認証を行うステップと、ネットショッピングで購入したユーザの認証と、購入した購入品の認証を２つの異なるサービスを経由するそれぞれ異なる回線から受信する購入者・購入品情報を照合するステップと、前記照合が合致した場合に認証が完了するステップと、ユーザに代わって代行課金するサービス事業者の認証サーバにて、前記照合・認証した結果を受けて、ユーザへの課金を行うステップとを含むことを特徴とするネットショッピング代行課金方法。
（付記７）  付記６記載のネットショッピング代行課金方法において、前記特定の電話番号は、ＳＩＰメッセージの発信者番号情報（０ＡＢＪ番号）であることを特徴とするとするネットショッピング代行課金方法。
（付記８）  付記６記載のネットショッピング代行課金方法において、前記認証サーバには、ユーザＩＤと前記特定の電話番号の関連テーブルを保持することを特徴とするネットショッピング代行課金方法。
（付記９）  付記６に記載のネットショッピング代行課金方法において、前記認証サーバには、認証した情報を、適切なアプリケーションサービス事業者（ＡＳＰ）へと送信するために、アプリケーションサービス事業者のＩＤ情報（ＡＳＰ−ＩＤ）と送信先の関連テーブルを保持することを特徴とするネットショッピング代行課金方法。
【産業上の利用可能性】
【００３４】
本発明は、インターネット上のショッピングモールにて商品購入した際に、ユーザに代わってＩＳＰ、ＡＳＰまたはＩＰ電話サービス事業者が代金を支払う代行課金システムに利用できる。
【図面の簡単な説明】
【００３５】
【図１】本発明が対象とするネットショッピング代行課金サービスを適用するネットワークの説明図である。
【図２】本発明の第１実施例におけるネットショッピング代行課金システムの構成図（ＩＳＰによる代行課金）である。
【図３】本発明の第１実施例におけるネットショッピング代行課金サービスのシーケンス図（ＩＳＰによる代行課金）である。
【図４】本発明の第２実施例におけるネットショッピング代行課金システムの構成図（ＡＳＰによる代行課金）である。
【図５】本発明の第２実施例におけるネットショッピング代行課金サービスのシーケンス図（ＡＳＰによる代行課金）である。
【図６】本発明の第３実施例におけるネットショッピング代行課金システムの構成図（ＩＰ電話サービス事業者による代行課金）である。
【図７】本発明の第３実施例におけるネットショッピング代行課金サービスのシーケンス図（ＩＰ電話サービス事業者による代行課金）である。
【図８】本発明による認証サーバが保持する認証用テーブルの内容を示す図である。
【図９】本発明による認証サーバが保持する認証情報送信先ＡＳＰ検索用テーブルの内容を示す図である。
【符号の説明】
【００３６】
１    ユーザ
２1 , ２n     ＩＰ電話
３    インターネット接続事業者（ＩＳＰ：Internet Services Provider）
４    ＩＰ電話サービス事業者
５    アプリケーションサービス事業者（ＡＳＰ：Application Service Provider）
６    インターネット接続事業者（ＩＳＰ）のＳＩＰ終端装置
７    インターネット接続事業者（ＩＳＰ）の認証サーバ
８    ネットショッピングシステム
９    アプリケーションサービス事業者（ＡＳＰ）の認証サーバ
１０    アプリケーションサービス事業者（ＡＳＰ）のＳＩＰ終端装置
１１    ＩＰ電話サービス事業者のＳＩＰ終端装置
１２    ＩＰ電話サービス事業者の認証サーバ
【図１】
2008242763.tif 000003
【図２】
2008242763.tif 000004
【図３】
2008242763.tif 000005
【図４】
2008242763.tif 000006
【図５】
2008242763.tif 000007
【図６】
2008242763.tif 000008
【図７】
2008242763.tif 000009
【図８】
2008242763.tif 000010
【図９】
2008242763.tif 000011